(57)【特許請求の範囲】
【請求項１】
上下方向に延びる複数の支柱を備え、該支柱間に貼設されるネットを昇降動させるネット昇降装置において、前記複数の支柱のうち少なくとも１つの支柱の下部にワイヤー部材の一端が取付けられるとともに、該ワイヤー部材を巻き取り可能とするウインチ手段が設けられており、該ウインチ手段に巻き取られているワイヤー部材の他端は、上方に延びて、支柱の上端に設けられているワイヤー分岐部材を介して少なくとも左右方向に分岐され、該分岐されたワイヤー部材の端部は、左右方向に配置されている支柱の上端部に設けられた滑車部材を介してネットにそれぞれ連結されているとともに前記ワイヤー分岐部材は、ベース部材と該ベース部材に取り付けられウインチ手段から延びてくるワイヤー部材を案内するローラー部材と、前記ワイヤー部材を左右に分岐するための左右２つの分岐ローラーとから構成され、前記ワイヤー分岐部材は、前記ローラー部材と前記分岐ローラーとの間に逆Ｕ字状のワイヤーガイド部材が設けられており、該ワイヤーガイド部材のガイド高さは、前記左右の分岐ローラーの高さよりも低いことを特徴とするネット昇降装置。
【請求項２】
前記ワイヤー分岐部材は、前記ローラー部材と前記分岐ローラーとの間に逆Ｕ字状のワイヤーガイド部材が設けられており、該ワイヤーガイド部材のガイド幅は、前記左右の分岐ローラーの間隔よりも広いことを特徴とする請求項１記載のネットの昇降装置。
【発明の詳細な説明】
【技術分野】
【０００１】
本発明は、スポーツ施設などに設置されている防球ネット装置のネットを昇降するネット昇降装置に関するものである。    
【背景技術】
【０００２】
防球ネットは、支柱にネットを固定して張る固定式の防球ネットと、強風時にネットを降下させ風荷重を減少させる昇降式の防球ネットとが知られている。
（例えば、特許文献1参照）
【先行技術文献】
【特許文献】
【０００３】
【特許文献１】登録実用新案第  ３０５４８１３  号公報
【０００４】
特許文献１に記載されているネット昇降装置においては、支柱１の下部に設けられたウインチ７と、支柱１の上部に設けられた滑車６、１０を介してワイヤー５によってネットを昇降させる技術が開示されている。
しかしながら、この先行文献１の装置では、１つの支柱に１つのウインチが必要とするようになり、ネットを昇降させる装置が大がかりとなる上、コストも高くなる。
また、ネットを昇降させる際には、それぞれの支柱に作業者が１人づつ配置せざるを得ず作業効率も良くないものであった。
【発明の概要】
【発明が解決しようとする課題】
【０００５】
前記したように、従来のネットを昇降させる装置においては、ウインチ手段１台の動力に対して滑車部材を介して前面ネットへの連結は１箇所となっているため、１台のウインチ手段で１箇所のネットしか昇降することが出来なかった。
また、一度にネットを昇降させるためには、複数台の支柱に設置されたウインチ手段を可動させなければならず、そのためには支柱数分の作業者が必要であった。
【０００６】
また、裏面に設置してあるウインチ手段を支柱に対して後方より斜め前方上端の滑車部材を介してネットに連結させるために、ネットを昇降させる際にワイヤー部材が支柱に干渉して擦れてしまう状態となり、これに伴って柱の錆発生の原因、劣化に至ることもあった。
また、前記干渉することによりワイヤー部材がねじれて乱巻き状態となり、これに伴って摩耗、変形、切断することもあった。
【課題を解決するための手段】
【０００７】
本発明は、上記した課題を解決するために、上下方向に延びる複数の支柱を備え、該支柱間に貼設されるネットを昇降動させるネット昇降装置において、前記複数の支柱のうち少なくとも１つの支柱の下部にワイヤー部材の一端が取付けられるとともに、該ワイヤー部材を巻き取り可能とするウインチ手段が設けられており、該ウインチ手段に巻き取られているワイヤー部材の他端は、上方に延びて、支柱の上端に設けられているワイヤー分岐部材を介して少なくとも左右方向に分岐され、該分岐されたワイヤー部材の端部は、左右方向に配置されている支柱の上端部に設けられた滑車部材を介してネットにそれぞれ連結されていることを特徴とする。
また、本発明は、ワイヤー分岐部材は、ベース部材と該ベース部材に取り付けられウインチ手段から延びてくるワイヤー部材を案内するローラー部材と、前記ワイヤー部材を左右に分岐するための左右２つの分岐ローラーとから構成されていることを特徴とする。
【０００８】
また、本発明は、ワイヤー分岐部材は、前記ローラー部材と前記分岐ローラーとの間に逆Ｕ字状のワイヤーガイド部材が設けられており、該ワイヤーガイド部材のガイド幅は、前記左右の分岐ローラーの間隔よりも広いことを特徴とする。
【０００９】
さらに、本発明は、ワイヤー分岐部材は、前記ローラー部材と前記分岐ローラーとの間に逆Ｕ字状のワイヤーガイド部材が設けられており、該ワイヤーガイド部材のガイド高さは、前記左右の分岐ローラーの高さよりも低いことを特徴とする。
【発明の効果】
【００１０】
本発明によるネット昇降装置においては、上下方向に延びる複数の支柱を備え、該支柱間に貼設されるネットを昇降動させるネット昇降装置において、前記複数の支柱のうち少なくとも１つの支柱の下部にワイヤー部材の一端が取付けられるとともに、該ワイヤー部材を巻き取り可能とするウインチ手段が設けられており、該ウインチ手段に巻き取られているワイヤー部材の他端は、上方に延びて、支柱の上端に設けられているワイヤー分岐部材を介して少なくとも左右方向に分岐され、該分岐されたワイヤー部材の端部は、左右方向に配置されている支柱の上端部に設けられた滑車部材を介してネットにそれぞれ連結されていることを特徴とする。
これによって１つのウインチ手段に巻き取られているワイヤー部材が左右方向に分岐してウインチ手段が取り付けられている支柱の左右にある支柱のネットに連結されているため、１つのウインチ手段を操作することでその左右にある支柱に支持されているネットも一緒に上下動させることが出来る。
このため、少ない作業者でネットの昇降作業が出来、また、ウインチ手段を少なくすることができるため、コストも低減できるという効果がある。
【００１１】
また、本発明においては、ワイヤー分岐部材は、ベース部材と該ベース部材に取り付けられウインチ手段から延びてくるワイヤー部材を案内するローラー部材と、前記ワイヤー部材を左右に分岐するための左右２つの分岐ローラーとから構成されていることを特徴とする。
このため、ウインチ手段に巻き取られているワイヤー部材の他端が左右に分岐されて左右方向に可動する際に分岐ローラーによってその動きがスムーズになる。
そして、ワイヤー分岐部材は、ベース部材にローラー部材と分岐ローラーが取り付けられているため、支柱の上端にベース部材を取付けるだけでワイヤー分岐部材が簡単に設置できるという効果がある。
【００１２】
さらに、本発明においては、ワイヤー分岐部材は、前記ローラー部材と前記分岐ローラーとの間に逆Ｕ字状のワイヤーガイド部材が設けられており、該ワイヤーガイド部材のガイド幅は、前記左右の分岐ローラーの間隔よりも広いことを特徴とする。
この構成によれば、ワイヤー部材が緩んだ時にローラーから外れるのを防止すると共に、ワイヤーガイド部材のガイド幅が左右の分岐ローラーの間隔よりも広くしてあるため、ワイヤー部材がワイヤーガイド部材に接することなく分岐ローラーに直接接するようになり、その作動がスムーズとなる効果がある。
【００１３】
さらに、本発明においては、ワイヤー分岐部材は、前記ローラー部材と前記分岐ローラーとの間に逆Ｕ字状のワイヤーガイド部材が設けられており、該ワイヤーガイド部材のガイド高さは、前記左右の分岐ローラーの高さよりも低いことを特徴とする。
この構造によれば、ワイヤーガイド部材の高さが分岐ローラーの高さより低いため、ワイヤー部材がワイヤーガイド部材を通過後に分岐ローラーから上方側へ外れるのを阻止することができるという効果がある。
そのため、ワイヤー部材の脱線や乱巻きによるワイヤーの切断や破損などによるトラブルを最小限に抑え、メンテナンス等の費用を大幅に減少させる効果がある。
【図面の簡単な説明】
【００１４】
【図１】野球用の防球ネットのネット昇降装置を示す全体の構成図である。
【図２】本発明の主要部の構成を示す斜視図である。
【図３】図１のＡ方向から見た斜視図である
【図４】図１のＢ−Ｂ断面図である。
【図５】ワイヤーガイド部材の平面図である。
【図６】本発明のワイヤーガイド部材と分岐ローラーとの位置関係を示した図である。
【実施例】
【００１５】
以下、本発明のネット昇降装置の一実施例を図に基づいて示す。
なお、本実施例においては、野球場などで使用される防球ネット装置を例として示す。
本発明のネット昇降装置は、地面から上下方向に延びる６本の支柱１〜６を備え、該６本の支柱間には側面ネット７、８、９、１０、１１が取付バンド等の適宜手段で取り付けられ、支柱１と６の間にはネットが設けられていない。
一方、各支柱１〜６の上端部には天井ネット１２が設けられている。この天井ネット１２は、強風や積雪時に柱に負荷がかかり倒れたり、雪の重みで破損するのを防止するために昇降動されるように構成されている。
【００１６】
この天井ネット１２の昇降について以下説明する。
左右の支柱１、３の間にある支柱２の外側下端部にはワイヤー部材１３を巻き取り自在とするウインチ手段１４がバンド等で固定されている。
このウインチ手段は、ワイヤー部材１３の一端が巻き取られており、該ワイヤー部材１３の他端は、３方向に分岐されている。
一方、支柱２の上端には、前記ワイヤー部材１３を３方向に分岐させるためのワイヤー分岐部材１５が取り付けられている。
このワイヤー分岐部材１５は、長方形とされた平板状のベース部材２６と、該ベース部材２６の一端側に回動自在とされたローラー部材１９と、他端側の上面に設けられた回動自在の左右２つの分岐ローラー２２、２３とを備えている。
【００１７】
また、ベース部材２６の上面には、前記ローラー部材１９と、分岐ローラー２２、２３との間には前記ワイヤー部材１３を案内する丸鋼を逆Ｕの字状に曲げ加工した第１ワイヤーガイド部材２０と第２ワイヤーガイド部材２１とが溶接によって固定されている。
【００１８】
さらに、前記ベース部材２６の両端には、それぞれ下方に向けて垂下する固定片２８が設けられている。そして、この固定片２８がバンド部材２７によって支柱２に固定されるようになっている。
なお、ワイヤー分岐部材１５の位置を固定するのは、前記固定片２８に設けた切欠溝３１とバンド部材２７に設けた突起部２９との係合によって行われる。そして、この突起部２９に形成されたネジ部にナット３０を螺合させて固定する。
【００１９】
前記固定片２８には、ウインチ手段１４から延びてくるワイヤー部材１３を案内するための逆Ｕの字状の第３ワイヤーガイド部材１８が溶接で固定されている。また、前記固定片２８にも逆Ｕの字状の第４ワイヤーガイド部材２５が溶接によって固定されている。
この第４ワイヤーガイド部材２５は、所定の角度、例えば４５度程度上方に向けて傾斜している。
これによって、昇降時にワイヤー部材１３ｃが該第４ワイヤーガイド部材２５に干渉するのが防止でき、摩耗したり、切断されたりするのを防ぐことができる。
【００２０】
前記したローラー部材１９と分岐ローラー２２、２３と、各ワイヤーガイド部材１８、２０、２１、２５との位置、寸法の関係について説明する。
第１ワイヤーガイド部材２０のガイド幅は、ローラー部材１９のローラー幅よりも短くしている。このガイド幅を短くすることによってローラー部材１９を通過したワイヤー部材１３がローラー部材１９から外れるのを防止するためである。
また、第２ワイヤーガイド部材２１のガイド幅Ｄ（図６参照）は、左右２つの分岐ローラー２２、２３の間隔Ｅ（図６参照）よりも広くしている。（ Ｄ＞Ｅ ）
このガイド幅Ａを広くすることによって、ワイヤー部材１３が第２ワイヤーガイド部材２１に接することなく分岐ローラー２２、２３に直接接するようになり、その作動がスムーズになると伴に接触によりワイヤー部材１３の摩耗や切断等による不具合を防ぐことができる。
さらに、第２ワイヤーガイド部材２１のガイド高さＦ（図６参照）を分岐ローラー２２、２３のローラーの高さＧ（図６参照）よりも低くしている。（ Ｆ＜Ｇ ）これによって、ワイヤー部材１３が第２ワイヤーガイド部材２１を通過後に分岐ローラー２２、２３から上方側へ外れるのを防止することができる。
【００２１】
前記したワイヤー部材１３は、その他方側が３方向に分岐（１３a、１３b、１３c）されている。
分岐されたワイヤー部材１３の第１分岐ワイヤー部材１３aは、前記した分岐ローラー２２に接した状態でその先端部が前記支柱１の上端部に設けられた滑車部材１６を介して天井ネット１２に連結されている。
また、分岐された第２分岐ワイヤー部材１３bは、分岐ローラー２３に接した状態で、その先端部が前記支柱３の上端部に設けられた滑車部材１７を介して天井ネット１２に連結されている。
一方、分岐された第３分岐ワイヤー部材１３cは、ローラー部材２４、第４ワイヤーガイド部材を経て天井ネット１２にその先端部が連結されている。
【００２２】
前記したウインチ手段１４は、ウインチ手段４１（図１参照）として、さらに前記したワイヤー分岐部材１５は、ワイヤー分岐部材４２として支柱５にも同様に取り付けられている。さらに支柱４、６の上端部にも滑車部材４３、４４が設けられている。
【００２３】
上記した構成によると、ウインチ手段１４に巻き取られているワイヤー部材１３を繰り出して行くことで、ワイヤー部材１３が矢印Ｙ方向（図２参照）に出ていく。これによってワイヤー部材１３の３方向に分岐された第１、第２、第３分岐ワイヤー部材１３a、１３b、１３cが各滑車１６、１７、４３、４４を介して繰り出される。これによって第１、第２、第３分岐ワイヤー部材１３a、１３b、１３c、４０a、４０b、４０cの各先端部に連結されている天井ネット１２が下方に下がっていく。
つまり、ウインチ手段１４、４１の巻取り、繰り出し操作によって、ウインチ手段１４、４１が取り付けられている支柱、およびその両側の支柱上端に連結されている天井ネット１２を昇降動させることができる。
【００２４】
本実施例によれば、ネットを昇降動させるには、従来６台のウインチ手段と６台の滑車部材が必要であったが、本実施例では２台のウインチ手段と４台の滑車部材で安心、安全に可動することができるようになり、その構成が簡素で、しかもその作業性を大幅に向上することができる。
【００２５】
上記実施例では、天井ネットの昇降動について説明したが、支柱の側面に貼設する側面ネットに適用することも可能である。
また、本実施例では、支柱が６本の防球ネット装置について説明したが、これに限らず、支柱が複数本でも適用することも可能である。
【符号の説明】
【００２６】
１    支柱
２    支柱
３    支柱
４    支柱
５    支柱
６    支柱    
７    側面ネット
８    側面ネット
９    側面ネット
１０  側面ネット
１１  側面ネット
１２  天井ネット
１３  ワイヤー部材
１４  ウインチ手段
１５  ワイヤー分岐部材
１６  滑車部材
１７  滑車部材
１８  第３ワイヤーガイド部材
１９  ローラー部材
２０  第１ワイヤーガイド部材
２１  第２ワイヤーガイド部材
２２  分岐ローラー
２３  分岐ローラー
２４  ローラー部材
２５  第４ワイヤーガイド部材
２６  ベース部材
２７  バンド部材
２８  固定片
２９  突起部
３０  ナット
３１  切欠溝
４０  ワイヤー部材
４１  ウインチ手段
４２  ワイヤー分岐部材
４３  滑車部材
４４  滑車部材
【図１】
0006557888.tif 000002
【図２】
0006557888.tif 000003
【図３】
0006557888.tif 000004
【図４】
0006557888.tif 000005
【図５】
0006557888.tif 000006
【図６】
0006557888.tif 000007